(57)【要約】【課題】スミア信号を低減させることができるようにする。【解決手段】固体撮像素子は入射した光を光電変換し、得られた信号電荷を、画素を構成する受光部に蓄積する。信号電荷の読み出し時には、転送電極に読み出し電圧が印加され、受光部から電荷転送チャネル領域への信号電荷の読み出しが行なわれる。電荷転送チャネル領域には、転送電極に印加される電圧に応じて、実際に信号電荷が蓄積されるパケットと、信号電荷が蓄積されない空パケットとが形成され、受光部から読み出された信号電荷は、パケットに蓄積される。このとき、固体撮像素子は、電荷転送チャネル領域の空パケットの領域の一部のポテンシャルを浅くし、空パケットに不要電荷が蓄積されにくくなるようにする。本技術は、撮像装置に適用することができる。【選択図】図３
2013102412.tif 000002
【特許請求の範囲】
【請求項１】
マトリクス状に配列され、被写体から入射した光を光電変換して得られた信号電荷を蓄積する受光部と、
垂直方向に並ぶ複数の前記受光部から前記信号電荷を読み出して前記垂直方向に転送する垂直転送部と、
前記垂直転送部から転送されてきた前記信号電荷を水平方向に転送する水平転送部と
を備え、
前記受光部から前記垂直転送部への前記信号電荷の読み出し時、または前記垂直転送部に読み出された前記信号電荷の転送時において、前記垂直転送部には、前記受光部から読み出された前記信号電荷が蓄積されるパケットと、前記受光部から読み出された前記信号電荷が蓄積されない空パケットとが形成され、
前記垂直転送部において、前記空パケットが形成される領域の少なくとも一部は、前記パケットが形成される領域よりもポテンシャルが浅くなるように制御される
固体撮像素子。
【請求項２】
前記垂直転送部は、前記垂直方向に並ぶ複数の前記受光部のうちの予め定められた一部の前記受光部から前記信号電荷を読み出す
請求項１に記載の固体撮像素子。
【請求項３】
前記信号電荷の読み出しおよび転送は、撮像される動画像のフレームごとに行なわれる
請求項１に記載の固体撮像素子。
【請求項４】
マトリクス状に配列され、被写体から入射した光を光電変換して得られた信号電荷を蓄積する受光部と、
垂直方向に並ぶ複数の前記受光部から前記信号電荷を読み出して前記垂直方向に転送する垂直転送部と、
前記垂直転送部から転送されてきた前記信号電荷を水平方向に転送する水平転送部と
を備える固体撮像素子の撮像方法であって、
前記受光部から前記垂直転送部への前記信号電荷の読み出し時、または前記垂直転送部に読み出された前記信号電荷の転送時において、前記垂直転送部に、前記受光部から読み出された前記信号電荷が蓄積されるパケットと、前記受光部から読み出された前記信号電荷が蓄積されない空パケットとを形成するとともに、前記垂直転送部において、前記空パケットが形成される領域の少なくとも一部が、前記パケットが形成される領域よりもポテンシャルが浅くなるように制御する
ステップを含む撮像方法。
【請求項５】
マトリクス状に配列され、被写体から入射した光を光電変換して得られた信号電荷を蓄積する受光部と、
前記被写体からの光を前記受光部に導く光学系と、
垂直方向に並ぶ複数の前記受光部から前記信号電荷を読み出して前記垂直方向に転送する垂直転送部と、
前記垂直転送部から転送されてきた前記信号電荷を水平方向に転送する水平転送部と
を備え、
前記受光部から前記垂直転送部への前記信号電荷の読み出し時、または前記垂直転送部に読み出された前記信号電荷の転送時において、前記垂直転送部には、前記受光部から読み出された前記信号電荷が蓄積されるパケットと、前記受光部から読み出された前記信号電荷が蓄積されない空パケットとが形成され、
前記垂直転送部において、前記空パケットが形成される領域の少なくとも一部は、前記パケットが形成される領域よりもポテンシャルが浅くなるように制御される
撮像ユニット。
【発明の詳細な説明】
【技術分野】
【０００１】
本技術は固体撮像素子および撮像方法、並びに撮像ユニットに関し、特に、スミア信号を低減させることができるようにした固体撮像素子および撮像方法、並びに撮像ユニットに関する。
【背景技術】
【０００２】
近年、CCD(Charge Coupled Devices)等の撮像素子の小型化，多画素化の要求が高まってきており、これによりCCDユニットセルの微細化が進んでいる。このようなCCDユニットセルの微細化にともない、画素から読み出された電荷を転送する転送レジスタの線幅の縮小が要求されるが、線幅の縮小により転送レジスタの取り扱い電荷量は減少してしまう。
【０００３】
これに対して、転送レジスタにおいて、高い電圧が印加されている状態のオン電極数を増やすことで、取り扱い電荷量を確保する方法もあるが、駆動電極数が増加してしまう。そこで、電荷を分割して転送する分割転送方式を採用することにより、駆動電極数を増やすことなく、オン電極数を増加させる技術が提案されている（例えば、特許文献１参照）。
【先行技術文献】
【特許文献】
【０００４】
【特許文献１】特開２００８−１７７９８４号公報
【発明の概要】
【発明が解決しようとする課題】
【０００５】
ところが、上述した技術では、転送レジスタでの取り扱い電荷量を増加させるためにオン電極数を増加させると、光電変換を行なう転送レジスタ領域が拡大する。そのため、画素開口から入射した光が転送レジスタ内で光電変換されて生じる不要な信号電荷、すなわちスミア信号が多くなってしまう。
【０００６】
このスミア信号は、静止画像を撮像するときには、カメラのメカニカルシャッタとCCD駆動の組み合わせにより掃き捨てることができるので問題とはならない。しかしながら、動画像を撮像するときには連続露光となるため、オン電極数の増加によりスミア信号が多くなり、動画像の画質が劣化してしまう。
【０００７】
本技術は、このような状況に鑑みてなされたものであり、スミア信号を低減させることができるようにするものである。
【課題を解決するための手段】
【０００８】
本技術の第１の側面の固体撮像素子は、マトリクス状に配列され、被写体から入射した光を光電変換して得られた信号電荷を蓄積する受光部と、垂直方向に並ぶ複数の前記受光部から前記信号電荷を読み出して前記垂直方向に転送する垂直転送部と、前記垂直転送部から転送されてきた前記信号電荷を水平方向に転送する水平転送部とを備え、前記受光部から前記垂直転送部への前記信号電荷の読み出し時、または前記垂直転送部に読み出された前記信号電荷の転送時において、前記垂直転送部には、前記受光部から読み出された前記信号電荷が蓄積されるパケットと、前記受光部から読み出された前記信号電荷が蓄積されない空パケットとが形成され、前記垂直転送部において、前記空パケットが形成される領域の少なくとも一部は、前記パケットが形成される領域よりもポテンシャルが浅くなるように制御される。
【０００９】
前記垂直転送部には、前記垂直方向に並ぶ複数の前記受光部のうちの予め定められた一部の前記受光部から前記信号電荷を読み出させることができる。
【００１０】
前記信号電荷の読み出しおよび転送は、撮像される動画像のフレームごとに行なわれるようにすることができる。
【００１１】
本技術の第１の側面の撮像方法は、マトリクス状に配列され、被写体から入射した光を光電変換して得られた信号電荷を蓄積する受光部と、垂直方向に並ぶ複数の前記受光部から前記信号電荷を読み出して前記垂直方向に転送する垂直転送部と、前記垂直転送部から転送されてきた前記信号電荷を水平方向に転送する水平転送部とを備える固体撮像素子の撮像方法であって、前記受光部から前記垂直転送部への前記信号電荷の読み出し時、または前記垂直転送部に読み出された前記信号電荷の転送時において、前記垂直転送部に、前記受光部から読み出された前記信号電荷が蓄積されるパケットと、前記受光部から読み出された前記信号電荷が蓄積されない空パケットとを形成するとともに、前記垂直転送部において、前記空パケットが形成される領域の少なくとも一部が、前記パケットが形成される領域よりもポテンシャルが浅くなるように制御するステップを含む。
【００１２】
本技術の第１の側面においては、マトリクス状に配列され、被写体から入射した光を光電変換して得られた信号電荷を蓄積する受光部と、垂直方向に並ぶ複数の前記受光部から前記信号電荷を読み出して前記垂直方向に転送する垂直転送部と、前記垂直転送部から転送されてきた前記信号電荷を水平方向に転送する水平転送部とを備える固体撮像素子において、前記受光部から前記垂直転送部への前記信号電荷の読み出し時、または前記垂直転送部に読み出された前記信号電荷の転送時に、前記垂直転送部には、前記受光部から読み出された前記信号電荷が蓄積されるパケットと、前記受光部から読み出された前記信号電荷が蓄積されない空パケットとが形成され、前記垂直転送部において、前記空パケットが形成される領域の少なくとも一部は、前記パケットが形成される領域よりもポテンシャルが浅くなるように制御される。
【００１３】
本技術の第２の側面の撮像ユニットは、マトリクス状に配列され、被写体から入射した光を光電変換して得られた信号電荷を蓄積する受光部と、前記被写体からの光を前記受光部に導く光学系と、垂直方向に並ぶ複数の前記受光部から前記信号電荷を読み出して前記垂直方向に転送する垂直転送部と、前記垂直転送部から転送されてきた前記信号電荷を水平方向に転送する水平転送部とを備え、前記受光部から前記垂直転送部への前記信号電荷の読み出し時、または前記垂直転送部に読み出された前記信号電荷の転送時において、前記垂直転送部には、前記受光部から読み出された前記信号電荷が蓄積されるパケットと、前記受光部から読み出された前記信号電荷が蓄積されない空パケットとが形成され、前記垂直転送部において、前記空パケットが形成される領域の少なくとも一部は、前記パケットが形成される領域よりもポテンシャルが浅くなるように制御される。
【００１４】
本技術の第２の側面においては、マトリクス状に配列され、被写体から入射した光を光電変換して得られた信号電荷を蓄積する受光部と、前記被写体からの光を前記受光部に導く光学系と、垂直方向に並ぶ複数の前記受光部から前記信号電荷を読み出して前記垂直方向に転送する垂直転送部と、前記垂直転送部から転送されてきた前記信号電荷を水平方向に転送する水平転送部とを備える撮像ユニットにおいて、前記受光部から前記垂直転送部への前記信号電荷の読み出し時、または前記垂直転送部に読み出された前記信号電荷の転送時に、前記垂直転送部には、前記受光部から読み出された前記信号電荷が蓄積されるパケットと、前記受光部から読み出された前記信号電荷が蓄積されない空パケットとが形成され、前記垂直転送部において、前記空パケットが形成される領域の少なくとも一部は、前記パケットが形成される領域よりもポテンシャルが浅くなるように制御される。
【発明の効果】
【００１５】
本技術の第１の側面および第２の側面によれば、スミア信号を低減させることができる。
【図面の簡単な説明】
【００１６】
【図１】本技術を適用した撮像装置の構成例を示す図である。
【図２】固体撮像素子の構成例を示す図である。
【図３】垂直転送クロックと電荷転送チャネル領域のポテンシャルについて説明する図である。
【図４】電荷の読み出しについて説明する図である。
【図５】電荷の読み出し時における垂直転送クロックについて説明する図である。
【図６】電荷の読み出し時における電荷転送チャネル領域のポテンシャルについて説明する図である。
【図７】電荷の読み出し時における垂直転送クロックについて説明する図である。
【図８】電荷の読み出し時における電荷転送チャネル領域のポテンシャルについて説明する図である。
【図９】電荷の転送時における垂直転送クロックについて説明する図である。
【図１０】電荷の転送時における電荷転送チャネル領域のポテンシャルについて説明する図である。
【図１１】撮像処理について説明するフローチャートである。
【図１２】電荷の読み出しについて説明する図である。
【図１３】電荷の読み出し時における垂直転送クロックについて説明する図である。
【図１４】電荷の読み出し時における電荷転送チャネル領域のポテンシャルについて説明する図である。
【図１５】電荷の読み出し時における垂直転送クロックについて説明する図である。
【図１６】電荷の読み出し時における電荷転送チャネル領域のポテンシャルについて説明する図である。
【図１７】電荷の転送時における垂直転送クロックについて説明する図である。
【図１８】電荷の転送時における電荷転送チャネル領域のポテンシャルについて説明する図である。
【発明を実施するための形態】
【００１７】
以下、図面を参照して、本技術を適用した実施の形態について説明する。
【００１８】
〈第１の実施の形態〉
［撮像装置の構成例］
図１は、本技術を適用した撮像装置の一実施の形態の構成例を示す図である。
【００１９】
撮像装置１１は、撮像ユニット２１、操作部２２、制御部２３、画像処理部２４、表示部２５、コーデック処理部２６、および記録部２７から構成される。
【００２０】
撮像ユニット２１は、被写体を撮像して画像を生成するユニットであり、レンズ部３１、固体撮像素子３２、およびA/D（Analog / Digital）変換器３３から構成される。
【００２１】
レンズ部３１は、レンズ等の撮像光学系などからなり、制御部２３の制御に従って駆動し、焦点調整を行なうとともに被写体からの光を固体撮像素子３２に導く。固体撮像素子３２は、例えばCCDセンサなどの固体撮像素子からなり、レンズ部３１から入射した光を受光して光電変換し、受光した光の強度に応じた電圧信号をA/D変換器３３に供給する。この電圧信号は、固体撮像素子３２を構成する画素ごとに得られる。
【００２２】
A/D変換器３３は、固体撮像素子３２から供給された画素ごとの電圧信号を、デジタルの画像信号（以下、画素信号とも称する）に変換し、順次、画像処理部２４に供給する。
【００２３】
操作部２２は、例えばボタンやタッチパネルなどからなり、ユーザによる操作入力を受け、その操作入力に対応する信号を制御部２３に供給する。制御部２３は、操作部２２から供給されたユーザの操作入力に対応する信号に基づいて、レンズ部３１、固体撮像素子３２、A/D変換器３３、画像処理部２４、表示部２５、コーデック処理部２６、および記録部２７を制御する。
【００２４】
画像処理部２４は、A/D変換器３３から供給された画像信号に対して、例えばホワイトバランス調整、デモザイク処理などの各種画像処理を施し、表示部２５およびコーデック処理部２６に供給する。
【００２５】
表示部２５は、例えば液晶ディスプレイなどからなり、画像処理部２４から供給された画像信号に基づいて、被写体の画像を表示する。コーデック処理部２６は、画像処理部２４からの画像信号に対して符号化処理を施し、その結果得られた画像データを記録部２７に供給する。
【００２６】
記録部２７は、コーデック処理部２６から供給された画像データを記録する。記録部２７に記録された画像データは、必要に応じて画像処理部２４に読み出されて、表示部２５に供給され、対応する画像が表示される。
【００２７】
［固体撮像素子の構成例］
また、図１の固体撮像素子３２は、例えば図２に示すように構成される。
【００２８】
すなわち、固体撮像素子３２は、被写体からの光が入射する撮像部６１、撮像部６１を囲むように設けられたオプティカルブラック領域６２、水平転送部６３、および出力部６４から構成される。
【００２９】
撮像部６１には、マトリクス状に配列され、１つの画素を構成する受光部７１と、図中、縦方向（以下、垂直方向とも称する）に並ぶ受光部７１からの電荷を垂直方向に転送する垂直転送部７２とが設けられている。
【００３０】
なお、図２では、１つの四角形が１つの受光部７１を表しており、図２では説明のため、一部の受光部７１にのみ符号が付されている。受光部７１は、入射した光を光電変換し、その結果得られた電荷を蓄積するとともに垂直転送部７２に転送する。
【００３１】
また、撮像部６１には、複数の垂直転送部７２が図中、横方向（以下、水平方向とも称する）に並べられて設けられており、垂直転送部７２は、受光部７１からの電荷を垂直方向に転送し、水平転送部６３に供給する。
【００３２】
より詳細には、垂直転送部７２には、電荷を転送する電荷転送チャネル領域と、タイミング発生回路８１から垂直転送クロックＶφが印加されることで、電荷転送チャネル領域に電圧を印加する転送電極とから構成される。電荷転送チャネル領域での電荷の垂直方向への転送は、転送電極に所定の大きさの垂直転送クロックＶφが印加されると行なわれる。
【００３３】
また、タイミング発生回路８１によって、水平転送部６３に水平転送クロックＨφが印加されると、水平転送部６３は、垂直転送部７２から転送されてきた電荷を水平方向に転送する。そして、水平転送部６３を転送された電荷は、図示せぬフローティングディフュージョン部で電圧に変換され、変換により得られた電圧信号が出力部６４から、図１のA/D変換器３３に出力される。
【００３４】
［垂直転送クロックと垂直転送部のポテンシャルについて］
ところで、転送電極は、より低い電圧が印加されたロー（ローバイアス）の状態、より高い電圧が印加されたハイ（ハイバイアス）の状態、およびハイの状態よりもさらに高い電圧（以下、読み出し電圧とも称する）が印加された読み出し状態のうちの何れかの状態となるように電圧の印加が制御される。すなわち、垂直転送クロックＶφの値が制御される。
【００３５】
例えば、図３の上側に示すように、１つの画素を構成する受光部７１と、垂直転送部７２を構成する電荷転送チャネル領域１２２とは、撮像部６１を構成する基板１２１内部の表面近傍に設けられる。この電荷転送チャネル領域１２２は転送レジスタ、より詳細には転送レジスタの空乏層領域（電荷蓄積領域）とも呼ばれている。
【００３６】
また、基板１２１上における電荷転送チャネル領域１２２と対向する部分には、転送電極１２３が設けられており、転送電極１２３は遮光膜１２４により覆われて遮光された状態となっている。
【００３７】
なお、図３において図中、横方向は水平方向であり、奥行き方向は垂直方向である。図３では、１つの受光部７１に対して１つの転送電極１２３が図示されているが、より詳細には、１つの受光部７１に対して２つの転送電極１２３が垂直方向に並べられて設けられている。したがって、垂直転送部７２の１つの画素に対応する部分には、２つの転送電極１２３と電荷転送チャネル領域１１２が設けられている。
【００３８】
垂直転送クロックＶφにより転送電極１２３にローバイアスがかけられると、図３の上側に示すように電荷転送チャネル領域１２２は縮小され、電荷転送チャネル領域１２２（垂直転送部７２）のポテンシャルは浅い状態となる。
【００３９】
電荷転送チャネル領域１２２のポテンシャルが浅い状態では、電荷転送チャネル領域１２２は比較的狭い領域となるので、電荷転送チャネル領域１２２に電荷が溜まりにくい状態となっている。つまり、電荷転送チャネル領域１２２の電荷が蓄積される容量が減少する。なお、以下、転送電極１２３にローバイアスがかけられた状態を、ゲート（転送電極１２３）がオフされた状態またはローの状態とも称するとともに、オフゲートを形成するとも称する。
【００４０】
また、ゲートがオフされた状態では、矢印Ａ１１に示す光路を通って外部から基板１２１内の受光部７１と電荷転送チャネル領域１２２の間に入射した光が光電変換されて電荷となっても、その電荷は電荷転送チャネル領域１２２には蓄積されず排出される。つまり、電荷転送チャネル領域１２２のポテンシャルが浅い状態では、電荷転送チャネル領域１２２は比較的狭い領域となるので、基板１２１に入射した光によって生じた不要な電荷が電荷転送チャネル領域１２２に蓄積されにくくなる。
【００４１】
これに対して、垂直転送クロックＶφにより転送電極１２３にハイバイアスがかけられると、図３の下側に示すように電荷転送チャネル領域１２２は拡大されて大きくなる。この場合、電荷転送チャネル領域１２２（垂直転送部７２）のポテンシャルは、転送電極１２３にローバイアスがかけられている状態よりも深い状態（以下、ポテンシャルが中間の状態とも称する）となる。
【００４２】
電荷転送チャネル領域１２２のポテンシャルが中間の状態では、電荷転送チャネル領域１２２は比較的広い領域となるので、電荷転送チャネル領域１２２に電荷が溜められる状態となっている。なお、以下、転送電極１２３にハイバイアスがかけられた状態を、ゲート（転送電極１２３）がオンされた状態、またはハイの状態とも称するとともに、オンゲートを形成するとも称する。
【００４３】
また、ゲートがオンされた状態では、矢印Ａ１１に示す光路を通って外部から基板１２１内の受光部７１と電荷転送チャネル領域１２２の間に入射した光が光電変換されて電荷となると、その電荷は電荷転送チャネル領域１２２に蓄積されてしまい、スミア信号（スミアノイズ）となる。つまり、電荷転送チャネル領域１２２が拡大した分だけ不要な電荷が蓄積されやすくなる。
【００４４】
垂直転送部７２を構成する電荷転送チャネル領域１２２のうち、ゲートがオフされた部分に挟まれた、ゲートがオンされた状態の部分の領域、つまりポテンシャルが浅い領域の間にあるポテンシャルが中間の状態の領域が、いわゆるパケットと呼ばれる領域である。このような電荷転送チャネル領域１２２のパケットには、画素を構成する受光部７１から読み出された電荷（信号電荷）が適宜蓄積される。
【００４５】
すなわち、外部から基板１２１に入射した光は光電変換されて電荷となる。このような電荷のうち、受光部７１近傍にある電荷が受光部７１に蓄積され、画素信号を生成するための信号電荷とされる。
【００４６】
そして、垂直転送クロックＶφにより転送電極１２３に読み出し電圧が印加され、読み出し状態となると、電荷転送チャネル領域１２２はより大きくなり、電荷転送チャネル領域１２２のポテンシャルは、中間の状態よりもさらに深い状態（以下、単に深い状態とも称する）となる。このように、電荷転送チャネル領域１２２のポテンシャルが深い状態となると、受光部７１に蓄積されている電荷は電荷転送チャネル領域１２２に転送される。すなわち、電荷転送チャネル領域１２２への電荷の読み出しが行なわれる。
【００４７】
電荷の読み出し後、ゲートがオンとされると、ポテンシャルが中間の状態である電荷転送チャネル領域１２２の部分からなるパケットに、受信部７１から読み出された電荷が蓄積される。さらにパケットに蓄積された電荷は、電荷転送チャネル領域１２２内部で垂直方向に転送され、その後、水平転送部６３内部で水平方向に転送されて出力部６４から出力される。
【００４８】
なお、上述した電荷転送チャネル領域１２２に形成されるパケットのうち、画素（受信部７１）から読み出される電荷の蓄積に用いられないパケットは、特に空パケットとも呼ばれている。
【００４９】
［固体撮像素子の動作について］
次に、固体撮像素子３２の動作について説明する。例えば、撮像装置１１により動画像が撮像される動画像モードでは、固体撮像素子３２において信号電荷の蓄積と読み出しが交互に繰り返し行なわれる。
【００５０】
そのような場合、例えば６フィールド読み出し方式におけるライン間引きモード（６フィールド駆動４／２４読み出しモード）により、信号電荷の読み出しが行なわれる。
【００５１】
６フィールド読み出し方式のライン間引きモードでは、例えば図４に示すように、撮像部６１に設けられた１列目の画素ライン乃至２４列目の画素ラインのうち、１列目、７列目、１４列目、および２０列目の画素ラインのみから信号電荷が読み出される。
【００５２】
なお、図４において、縦方向および横方向はそれぞれ垂直方向および水平方向を示しており、１つの四角形は、１つの画素（受光部７１）を表している。また、各画素内の文字「Ｒ」，「Ｇ」，「Ｂ」は、各画素の色、すなわち各画素の信号電荷から得られる画素信号の色成分を表している。
【００５３】
さらに、図中、縦方向に並ぶ１乃至２４の数字は、水平方向に並ぶ画素からなる画素ラインのうち、垂直方向に並ぶ何列目の画素ラインであるかを示している。例えば図中、一番下側にある画素ラインが１列目の画素ラインである。
【００５４】
図４の例では、各画素に対応する転送電極１２３には、画素ラインごとに異なる電圧値の垂直転送クロックＶφが印加される。各画素ラインを示す数値の図中、右側には各垂直転送クロックＶφを識別するための文字が記されている。
【００５５】
具体的には、２４列目、１８列目、１２列目、および６列目の画素ラインを構成する各画素に対応する２つの転送電極１２３のうちの１つには、垂直転送クロックＶφ＝Ｖ１が印加される。また、２３列目、１７列目、１１列目、および５列目の画素ラインを構成する各画素に対応する２つの転送電極１２３のうちの１つには、垂直転送クロックＶφ＝Ｖ３が印加される。
【００５６】
２２列目および１０列目の画素ラインを構成する各画素に対応する２つの転送電極１２３のうちの１つには、垂直転送クロックＶφ＝Ｖ５Ｂが印加され、２１列目および９列目の画素ラインを構成する各画素に対応する２つの転送電極１２３のうちの１つには、垂直転送クロックＶφ＝Ｖ７Ａが印加される。
【００５７】
また、２０列目および１４列目の画素ラインを構成する各画素に対応する２つの転送電極１２３のうちの１つには、垂直転送クロックＶφ＝Ｖ９Ａが印加され、１９列目および１３列目の画素ラインを構成する各画素に対応する２つの転送電極１２３のうちの１つには、垂直転送クロックＶφ＝Ｖ１１Ｂが印加される。
【００５８】
１６列目および４列目の画素ラインを構成する各画素に対応する２つの転送電極１２３のうちの１つには、垂直転送クロックＶφ＝Ｖ５Ａが印加され、１５列目および３列目の画素ラインを構成する各画素に対応する２つの転送電極１２３のうちの１つには、垂直転送クロックＶφ＝Ｖ７Ｂが印加される。
【００５９】
さらに、８列目および２列目の画素ラインを構成する各画素に対応する２つの転送電極１２３のうちの１つには、垂直転送クロックＶφ＝Ｖ９Ｂが印加され、７列目および１列目の画素ラインを構成する各画素に対応する２つの転送電極１２３のうちの１つには、垂直転送クロックＶφ＝Ｖ１１Ａが印加される。
【００６０】
なお、以下、垂直転送クロックＶφ＝Ｖ１，Ｖ３，Ｖ５Ａ，Ｖ５Ｂ，Ｖ７Ａ，Ｖ７Ｂ，Ｖ９Ａ，Ｖ９Ｂ，Ｖ１１Ａ，Ｖ１１Ｂが印加される転送電極１２３を、それぞれ転送電極Ｖ１，Ｖ３，Ｖ５Ａ，Ｖ５Ｂ，Ｖ７Ａ，Ｖ７Ｂ，Ｖ９Ａ，Ｖ９Ｂ，Ｖ１１Ａ，Ｖ１１Ｂとも称することとする。特に、転送電極Ｖ１，Ｖ３，Ｖ５Ａ，Ｖ５Ｂ，Ｖ７Ａ，Ｖ７Ｂ，Ｖ９Ａ，Ｖ９Ｂ，Ｖ１１Ａ，Ｖ１１Ｂは、各画素に対応し、垂直方向に並ぶ２つの転送電極１２３のうちの、図中、上側（水平転送部６３から遠い側）に位置する転送電極１２３である。
【００６１】
また、転送電極Ｖ１，Ｖ３，Ｖ５ＡおよびＶ５Ｂ，Ｖ７ＡおよびＶ７Ｂ，Ｖ９ＡおよびＶ９Ｂ，Ｖ１１ＡおよびＶ１１Ｂの図中、下側に隣接する転送電極１２３には、それぞれ垂直転送クロックＶφ＝Ｖ２，Ｖ４，Ｖ６，Ｖ８，Ｖ１０，Ｖ１２が印加される。以下、垂直転送クロックＶφ＝Ｖ２，Ｖ４，Ｖ６，Ｖ８，Ｖ１０，Ｖ１２が印加される転送電極１２３を、それぞれ転送電極Ｖ２，Ｖ４，Ｖ６，Ｖ８，Ｖ１０，Ｖ１２とも称することとする。
【００６２】
例えば、２４列目の画素ラインを構成する画素に対応する転送電極１２３のうち、２４列目の画素ラインの画素の転送電極Ｖ１と、２３列目の画素ラインの画素の転送電極Ｖ３との間に位置する転送電極１２３が、転送電極Ｖ２である。
【００６３】
このように各転送電極１２３に対して、異なる垂直転送クロックＶ１乃至Ｖ１２が印加される場合、動画像の各フレームの撮像時において、１列目、７列目、１４列目、および２０列目の画素ラインの画素のみから信号電荷の読み出しが行なわれ、他の画素からは信号電荷の読み出しは行なわれない。
【００６４】
このような信号電荷の読み出しを行なう場合に、例えば図５および図６に示すように固体撮像素子３２を駆動させることが考えられる。
【００６５】
なお、図５は、各転送電極１２３に印加される垂直転送クロックＶ１乃至Ｖ１２の変化を示すタイミングチャートを示しており、図中、縦方向および横方向は、それぞれ垂直転送クロックの電圧の大きさおよび時間を示している。
【００６６】
図５では、垂直転送クロックＶ１乃至Ｖ１２のそれぞれを示す文字「Ｖ１」乃至「Ｖ１２」のそれぞれの図中、右側に示される折れ線が、各垂直転送クロックの電圧値の変化を表している。特に、各折れ線において、垂直転送クロックの電圧を表す線が、垂直転送クロックを示す文字に対して図中、下側，中間，上側に位置する状態は、それぞれ垂直転送クロックがローの状態，ハイの状態，読み出し状態を示している。
【００６７】
また、図６は、各転送電極１２３に図５に示した垂直転送クロックを印加した場合における、垂直転送部７２（電荷転送チャネル領域１２２）のポテンシャルの変化を示している。なお、図６中、縦方向は時間を示しており、横方向は垂直転送部７２の各位置を示している。
【００６８】
図６において、図中、横方向に並ぶ各文字「Ｖ１」乃至「Ｖ１２」は、垂直転送部７２において、垂直転送クロックＶ１乃至Ｖ１２が印加される転送電極１２３の位置を示している。また、図６に示される折れ線は、各時刻における垂直転送部７２の各位置のポテンシャルを示しており、特に各折れ線において、ポテンシャルを表す線が図中、下側，中間，上側に位置する状態は、それぞれポテンシャルが深い状態，中間の状態，浅い状態を示している。
【００６９】
さらに、図６において、各転送電極１２３の位置を示す文字の図中、上側の四角形は１つの画素、つまり１つの受光部７１を表している。また、図中、斜線が施された部分は、電荷転送チャネル領域１２２における信号電荷が蓄積されている部分を表している。
【００７０】
図５および図６に示す駆動では、垂直転送クロックＶ１は継続してローの状態となっており、これにより電荷転送チャネル領域１２２（垂直転送部７２）における転送電極Ｖ１と対向する部分のポテンシャルも継続して浅い状態となっている。
【００７１】
垂直転送クロックＶ２乃至Ｖ５Ａ，Ｖ５Ｂは継続してハイの状態となっており、これにより電荷転送チャネル領域１２２（垂直転送部７２）における転送電極Ｖ２乃至Ｖ５Ａ，Ｖ５Ｂと対向する部分のポテンシャルも継続して中間の状態となっている。
【００７２】
また、垂直転送クロックＶ６は、時刻ｔ１と時刻ｔ１０でローの状態とされるが、時刻ｔ１から時刻ｔ１０までの間の時刻では、継続してハイの状態となっており、垂直転送クロックＶ７Ａ，Ｖ７Ｂは継続してローの状態となっている。
【００７３】
したがって、時刻ｔ２から時刻ｔ９の期間では、電荷転送チャネル領域１２２における転送電極Ｖ２乃至Ｖ５Ｂ，Ｖ６や、転送電極Ｖ２乃至Ｖ５Ａ，Ｖ６が連続して並ぶ部分に対向する領域は、ポテンシャルが中間の状態となっており、この領域がパケットとなる。
【００７４】
また、時刻ｔ１や時刻ｔ１０では、電荷転送チャネル領域１２２における転送電極Ｖ２乃至Ｖ５Ｂや、転送電極Ｖ２乃至Ｖ５Ａが連続して並ぶ部分に対向する領域は、ポテンシャルが中間の状態となっており、この領域がパケットとなる。
【００７５】
例えば、時刻ｔ１０において、電荷転送チャネル領域１２２における転送電極Ｖ２乃至Ｖ５Ｂが連続して並ぶ部分に対向する領域は、ポテンシャルが中間の状態となっており、この領域に隣接する転送電極Ｖ１，６に対向する部分の領域のポテンシャルは浅い状態となっている。そのため、時刻ｔ１０では、電荷転送チャネル領域１２２の転送電極Ｖ２乃至Ｖ５Ｂに対向する部分の領域は、電荷の蓄積が可能なパケットとなる。
【００７６】
ところが、信号電荷の読み出し期間、つまり時刻ｔ１から時刻ｔ１０までの期間では、垂直転送クロックＶ２乃至Ｖ５Ｂは一度も読み出し電圧とされないので、電荷転送チャネル領域１２２の転送電極Ｖ２乃至Ｖ５Ｂに対向する部分に形成されたパケットは空パケットとなる。すなわち、このパケットへの受光部７１からの信号電荷の読み出しは行なわれない。
【００７７】
また、垂直転送クロックＶ９Ａは、時刻ｔ１，ｔ２ではハイとされ、時刻ｔ３から時刻ｔ７までの期間では読み出し電圧とされ、時刻ｔ８以降はハイとなる。したがって、電荷転送チャネル領域１２２の転送電極Ｖ９Ａに対向する部分の領域のポテンシャルは、時刻ｔ２と時刻ｔ３の間で中間の状態から深い状態となり、受光部７１からこの領域への信号電荷の読み出しが行なわれる。
【００７８】
このとき、転送電極Ｖ９Ａに隣接する転送電極Ｖ１０等がハイの状態とされて、電荷転送チャネル領域１２２の転送電極Ｖ１０等に対向する部分の領域のポテンシャルが中間の状態となり、この領域にも転送電極Ｖ９Ａに対向する領域に読み出された信号電荷が蓄積できるようになされる。
【００７９】
これにより、時刻ｔ８以降において、電荷転送チャネル領域１２２の転送電極Ｖ８乃至Ｖ１１Ｂに対向する部分に形成されたパケットには、受光部７１から読み出された信号電荷が蓄積され、このパケットの領域のポテンシャルは中間の状態となる。このようにしてパケットに読み出された信号電荷は、その後、電荷転送チャネル領域１２２内を水平転送部６３まで垂直方向に転送される。
【００８０】
なお、垂直転送クロックＶ１０，１１Ｂは、継続してハイとされる。また、垂直転送クロックＶ８は時刻ｔ１から時刻ｔ５までは継続してハイの状態とされ、時刻ｔ６でローとされ、その後、ハイの状態に戻され、電荷転送チャネル領域１２２の転送電極Ｖ８に対向する部分がパケットを構成する領域とされる。そして、このようにして形成されたパケットに信号電荷が蓄積され、時刻ｔ７以降では、電荷転送チャネル領域１２２の転送電極Ｖ８に対向する領域のポテンシャルは、中間の状態となる。
【００８１】
さらに、垂直転送クロックＶ１２は、時刻ｔ１でローの状態とされ、時刻ｔ２および時刻ｔ３でハイの状態とされた後、時刻ｔ４以降は、継続してローの状態とされる。したがって、時刻ｔ４以降においては、電荷転送チャネル領域１２２の転送電極Ｖ１２に対向する部分の領域は、ポテンシャルが浅い状態となり、転送電極Ｖ８乃至Ｖ１１Ｂの部分を含むパケットと、転送電極Ｖ２乃至Ｖ５Ａの部分を含む空パケットとの境界部分など、パケットと空パケットの境界部分として機能する。
【００８２】
また、垂直転送クロックＶ１１Ａは、時刻ｔ１，ｔ２ではハイとされ、時刻ｔ３から時刻ｔ７までの期間では読み出し電圧とされ、時刻ｔ８以降はハイとなる。したがって、電荷転送チャネル領域１２２の転送電極Ｖ１１Ａに対向する部分の領域のポテンシャルは、時刻ｔ２と時刻ｔ３の間で中間の状態から深い状態となり、受光部７１からこの領域への信号電荷の読み出しが行なわれる。
【００８３】
このとき、転送電極Ｖ１１Ａに隣接する転送電極Ｖ１０等がハイの状態とされて、電荷転送チャネル領域１２２の転送電極Ｖ１０等に対向する部分の領域のポテンシャルが中間の状態となり、この領域にも転送電極Ｖ１１Ａに対向する領域に読み出された信号電荷が蓄積できるようになされる。
【００８４】
これにより、時刻ｔ８以降において、電荷転送チャネル領域１２２の転送電極Ｖ８乃至Ｖ１１Ａに対向する部分に形成されたパケットには、受光部７１から読み出された信号電荷が蓄積され、このパケットの領域のポテンシャルは中間の状態となる。
【００８５】
以上のように、図５および図６に示した固体撮像素子３２の駆動では、電荷転送チャネル領域１２２には実際に信号電荷が蓄積されるパケットと、実際には信号電荷が蓄積されない空パケットとが垂直方向に交互に並ぶように形成される。
【００８６】
動画像の撮像を行なうときに行なわれるライン間引きモードでは、各画素で取り扱われる信号電荷の飽和信号量が静止画像の撮像時よりも少ない場合がある。そのような場合には、電荷転送チャネル領域１２２に空パケットが存在しても、転送レジスタ（電荷転送チャネル領域１２２）の取り扱い電荷量は不足することはない。
【００８７】
ところが、転送レジスタに空パケットがあると、図３の下側を参照して説明したように、空パケットにスミア信号（スミアノイズ）が蓄積され、固体撮像素子３２から出力される電圧信号にスミア成分が混入してしまう。
【００８８】
そこで、撮像ユニット２１は、受光部７１からの信号電荷の読み出し時に、垂直転送部７２に形成されるオフゲートの数、つまりローバイアスがかけられた転送電極１２３の数を増やし、空パケットの一部の領域のポテンシャルを浅くすることで、スミア成分の混入を抑制させる。換言すれば、垂直転送部７２に形成されるオンゲートの数を減らすことで、電荷転送チャネル領域１２２へのスミア成分の混入が低減される。
【００８９】
具体的には、タイミング発生回路８１は、図７に示す垂直転送クロックＶ１乃至Ｖ１２を各転送電極１２３に供給し、電荷転送チャネル領域１２２の各領域のポテンシャルが図８に示すように変化するように、固体撮像素子３２の駆動を制御する。
【００９０】
図７は、各転送電極１２３に印加される垂直転送クロックＶ１乃至Ｖ１２の変化を示すタイミングチャートを示しており、図中、縦方向および横方向は、それぞれ垂直転送クロックの電圧の大きさおよび時間を示している。また、図８は、各転送電極１２３に図７に示した垂直転送クロックを印加した場合における、垂直転送部７２のポテンシャルの変化を示しており、図中、縦方向および横方向は時間および垂直転送部７２の各位置を示している。
【００９１】
なお、図７および図８は、図５および図６における場合と基本的には同じであるので、その説明は適宜省略し、異なる部分のみを説明する。
【００９２】
図７および図８に示す固体撮像素子３２の駆動では、図５および図６に示す駆動と垂直転送クロックＶ３，Ｖ５Ａ，Ｖ５Ｂの電圧が異なる。すなわち、図５では、時刻ｔ８において垂直転送クロックＶ３，Ｖ５Ａ，Ｖ５Ｂはハイの状態となっているが、図７では、時刻ｔ８における垂直転送クロックＶ３，Ｖ５Ａ，Ｖ５Ｂはローの状態とされる。
【００９３】
これにより、電荷転送チャネル領域１２２の転送電極Ｖ３，Ｖ５Ａ，Ｖ５Ｂに対向する部分では、図３の上側に示したように、電荷転送チャネル領域１２２が縮小され、図８に示すように時刻ｔ８では、それらの部分の領域のポテンシャルが浅くなる。
【００９４】
その結果、画素開口部（受光部７１近傍の領域）から基板１２１に入射した光により生じた電荷が、スミア信号として電荷転送チャネル領域１２２の空パケットに蓄積されることを抑制することができる。すなわち、電圧信号に混入する不要電荷の発生を低減させ、より高品質な画像を得ることができるようになる。
【００９５】
図８の例では、時刻ｔ８において、空パケットを構成する転送電極Ｖ３，Ｖ５Ａ，Ｖ５Ｂに対向する電荷転送チャネル領域１２２の部分のポテンシャルが浅くなっており、図６の例と比べて空パケットが縮小されている。これにより、空パケットに不要な電荷が蓄積されにくくなり、スミア成分が低減される。
【００９６】
なお、図７および図８では、電荷転送チャネル領域１２２の空パケットの部分に対向する転送電極のうち、転送電極Ｖ３，Ｖ５Ａ，Ｖ５Ｂにローバイアスをかける例について説明したが、空パケットの部分に対向する転送電極のうちのどの転送電極にローバイアスがかけられるようにしてもよい。
【００９７】
また、図８の例では、時刻ｔ８においてのみ転送電極Ｖ３，Ｖ５Ａ，Ｖ５Ｂにローバイアスがかけられているが、時刻ｔ１から時刻ｔ８まで継続して転送電極Ｖ３，Ｖ５Ａ，Ｖ５Ｂにローバイアスがかけられるようにしてもよい。このようにすることで、さらにスミア成分の低減効果を向上させることができる。この場合、特に読み出し駆動上、問題が生じることもない。
【００９８】
ここで、以上において説明した例では、転送電極Ｖ１，Ｖ３，Ｖ５Ａ，Ｖ５Ｂなど、奇数番号の垂直転送クロックＶφが印加される転送電極１２３が、パケットへの電荷の読み出しに用いられ、これらの転送電極１２３は受光部７１の真横に隣接して配置されている。
【００９９】
したがって、特に空パケットの部分に対向する転送電極１２３のうち、奇数番号の垂直転送クロックＶφが印加される転送電極１２３にローバイアスがかけられるようにすると、より高いスミア成分低減効果を得ることができる。そこで、上述した例では、空パケットの部分に対向する転送電極１２３のうち、転送電極Ｖ３，Ｖ５Ａ，Ｖ５Ｂのみにローバイアスがかけられるようになされている。
【０１００】
さらに、撮像装置１１は、図７および図８に示した駆動により各パケットに信号電荷を読み出すと、図９に示す垂直転送クロックＶ１乃至Ｖ１２を各転送電極１２３に供給し、受光部７１から読み出した信号電荷を水平転送部６３に転送させる。これにより、電荷転送チャネル領域１２２の各領域のポテンシャルが図１０に示すように変化し、垂直転送部７２の信号電荷が水平転送部６３まで転送される。
【０１０１】
なお、図９は、各転送電極１２３に印加される垂直転送クロックＶ１乃至Ｖ１２の変化を示すタイミングチャートを示しており、図中、縦方向および横方向は、それぞれ垂直転送クロックの電圧の大きさおよび時間を示している。
【０１０２】
図９では、垂直転送クロックＶ１乃至Ｖ１２のそれぞれを示す文字「Ｖ１」乃至「Ｖ１２」のそれぞれの図中、右側に示される折れ線が、各垂直転送クロックの電圧の変化を表している。特に、各折れ線において、垂直転送クロックの電圧を表す線が図中、下側，上側に位置する状態は、それぞれ垂直転送クロックがローの状態，ハイの状態を示している。
【０１０３】
また、図１０は、各転送電極１２３に図９に示した垂直転送クロックを印加した場合における、電荷転送チャネル領域１２２のポテンシャルの変化を示している。なお、図１０中、縦方向は時間を示しており、横方向は垂直転送部７２の各位置を示している。特に、図１０中、右側が固体撮像素子３２において水平転送部６３が設けられている側である。
【０１０４】
図１０において、図中、横方向に並ぶ各文字「Ｖ１」乃至「１２」は、垂直転送部７２において、垂直転送クロックＶ１乃至Ｖ１２が印加される転送電極１２３の位置を示している。また、図１０に示される折れ線は、各時刻における垂直転送部７２の各位置のポテンシャルを示しており、特に各折れ線において、ポテンシャルを表す線が図中、下側，上側に位置する状態は、それぞれポテンシャルが中間の状態，浅い状態を示している。
【０１０５】
さらに、図１０において、各転送電極１２３の位置を示す文字の図中、上側の四角形は１つの画素、つまり１つの受光部７１を表している。また、図中、斜線が施された部分は、電荷転送チャネル領域１２２における信号電荷が蓄積されている部分を表している。
【０１０６】
図９に示す駆動では、垂直転送クロックＶ１乃至Ｖ１２は、交互にローの状態およびハイの状態とされる。なお、図９では、垂直転送クロックがローの状態とされる期間や、その期間の長さは、各垂直転送クロックによって異なる。
【０１０７】
例えば、垂直転送クロックＶ３は、時刻ｔ１から時刻ｔ８まではローの状態とされ、その後、時刻ｔ９から時刻ｔ１５まではハイの状態とされ、時刻ｔ１６から時刻ｔ２５までは再びローの状態とされる。
【０１０８】
また、垂直転送クロックＶ５ＡおよびＶ５Ｂは、時刻ｔ１から時刻ｔ１２まではローの状態とされ、その後、時刻ｔ１３から時刻ｔ１９まではハイの状態とされ、時刻ｔ２０から時刻ｔ２５までは再びローの状態とされる。
【０１０９】
図９に示す垂直転送クロックにより、図１０に示すように信号電荷、すなわち信号電荷が蓄積されたパケットの領域が、図１０中、右方向へと移動していくことがわかる。
【０１１０】
例えば、時刻ｔ１では、電荷転送チャネル領域１２２の転送電極Ｖ８，Ｖ９Ａ，Ｖ１０，Ｖ１１Ｂに対向する部分にパケットが形成され、このパケットには受光部７１から読み出された信号電荷が蓄積されている。この信号電荷は、時間とともに図中、右方向、つまり水平転送部６３の方向に転送されていき、時刻ｔ２３では、電荷転送チャネル領域１２２の転送電極Ｖ７Ｂ，Ｖ８，Ｖ９Ａ，Ｖ１０に対向する部分まで転送されている。
【０１１１】
また、図１０では、実際に信号電荷が蓄積されているパケットの移動とともに、信号電荷が蓄積されていない空パケットの領域も図中、右方向（垂直方向）に移動している。このとき、電荷転送チャネル領域１２２に形成された空パケットの領域のうち、信号電荷の垂直方向への転送に寄与していない転送電極１２３に対向する領域のポテンシャルが浅くなるようにされる。
【０１１２】
例えば、時刻ｔ１では、転送電極Ｖ３，Ｖ５Ａ，Ｖ５Ｂに対向する電荷転送チャネル領域１２２の領域には、信号電荷が蓄積されたパケットが形成されていない。そこで、タイミング発生回路８１は、時刻ｔ１において、垂直転送クロックＶ３，Ｖ５Ａ，Ｖ５Ｂをローの状態とすることで、転送電極Ｖ３，Ｖ５Ａ，Ｖ５Ｂに対向する電荷転送チャネル領域１２２の領域のポテンシャルを浅い状態とする。
【０１１３】
これにより、空パケットを構成する電荷転送チャネル領域１２２の部分が縮小され、信号電荷の転送中に画素開口部から基板１２１に入射した光により生じた電荷が、スミア信号として電荷転送チャネル領域１２２の空パケットに混入してしまうことを抑制することができる。すなわち、信号電荷の転送期間中においても、専用の電極の追加等を行なうことなく、電圧信号に混入する不要電荷の発生を低減させ、より高品質な画像を得ることができるようになる。
【０１１４】
［撮像処理の説明］
次に、図１１のフローチャートを参照して、上述した図７乃至図１０に示した固体撮像素子３２の駆動方法により撮像ユニット２１が動画像を撮像する撮像処理について説明する。
【０１１５】
ステップＳ１１において、固体撮像素子３２は、レンズ部３１を介して被写体から入射した光を光電変換し、その結果得られた電荷を受光部７１に蓄積する。
【０１１６】
ステップＳ１２において、タイミング発生回路８１は、図７に示した垂直転送クロックＶ１乃至Ｖ１２を、垂直転送部７２の各転送電極Ｖ１乃至Ｖ１２に供給し、受光部７１に蓄積されている電荷を電荷転送チャネル領域１２２に形成されたパケットに読み出させる。
【０１１７】
受光部７１に蓄積されている電荷がパケットに読み出されると、図７および図８を参照して説明したように、転送電極Ｖ３，Ｖ５Ａ，Ｖ５Ｂにローバイアスがかけられ、電荷転送チャネル領域１２２に形成された空パケットの一部の領域が縮小される。これにより、電圧信号へのスミア成分の混入が低減される。
【０１１８】
ステップＳ１３において、タイミング発生回路８１は、図９に示した垂直転送クロックＶ１乃至Ｖ１２を、垂直転送部７２の各転送電極Ｖ１乃至Ｖ１２に供給するとともに、水平転送部６３に水平転送クロックを供給し、パケットに読み出された電荷を転送させる。
【０１１９】
すなわち、転送電極１２３に垂直転送クロックが供給されると、パケット内の電荷は、順次、水平転送部６３まで転送され、さらに水平転送部６３内を転送される。そして、各画素（受光部７１）から読み出された電荷は、電圧信号（画素信号）に変換されて出力部６４からA/D変換器３３に出力される。このようにして得られた各画素の画素信号からなる信号が、動画像の１フレーム分の画像信号となる。なお、垂直方向への信号電荷の転送時においては、図９および図１０を参照して説明したように、空パケットの少なくとも一部の領域のポテンシャルが浅くなるようにされ、スミア成分の混入が低減される。
【０１２０】
ステップＳ１４において、撮像ユニット２１は、動画像の撮像を終了するか否かを判定する。例えば、ユーザにより撮像装置１１が操作され、動画像の撮像終了が指示された場合、撮像を終了すると判定される。
【０１２１】
ステップＳ１４において、撮像を終了しないと判定された場合、処理はステップＳ１１に戻り、上述した処理が繰り返され、次のフレームの画像が撮像される。なお、より詳細には、ステップＳ１２において、受光部７１から電荷転送チャネル領域１２２に信号電荷が読み出されると、その後、直ちに次のフレームの電荷の蓄積が受光部７１で開始される。
【０１２２】
一方、ステップＳ１４において、撮像を終了すると判定された場合、撮像ユニット２１の各部は行なっている処理を停止して、撮像処理は終了する。
【０１２３】
以上のようにして、撮像ユニット２１は、被写体からの光を電荷に変換し、変換した電荷を読み出して電圧信号とする。電荷の読み出し時や転送時において、電荷転送チャネル領域１２２に形成される空パケットの一部の領域を縮小させることで、スミア成分の混入を抑制することができ、より高品質な画像を得ることができるようになる。
【０１２４】
〈第２の実施の形態〉
［固体撮像素子の動作について］
また、固体撮像素子３２が動画像を撮像する撮像モード時に、電荷を分割して転送する６フィールド分割読み出し方式におけるライン間引きモード（６フィールド分割駆動４／２４読み出しモード）により、信号電荷の読み出しを行なうようにしてもよい。この場合においても、固体撮像素子３２において信号電荷の蓄積と読み出しが交互に繰り返し行なわれる。
【０１２５】
６フィールド分割読み出し方式のライン間引きモードでは、例えば図１２に示すように、撮像部６１に設けられた１列目の画素ライン乃至２４列目の画素ラインのうち、１列目、１１列目、１４列目、および２２列目の画素ラインのみから信号電荷が読み出される。
【０１２６】
なお、図１２において、縦方向および横方向はそれぞれ垂直方向および水平方向を示しており、１つの四角形は、１つの画素（受光部７１）を表している。また、各画素内の文字「Ｒ」，「Ｇ」，「Ｂ」は、各画素の色、すなわち各画素の信号電荷から得られる画素信号の色成分を表している。
【０１２７】
さらに、図中、縦方向に並ぶ１乃至２４の数字は、水平方向に並ぶ画素からなる画素ラインのうち、垂直方向に並ぶ何列目の画素ラインであるかを示している。
【０１２８】
図１２の例では、各画素に対応する転送電極１２３には、画素ラインごとに異なる電圧値の垂直転送クロックＶφが印加される。各画素ラインを示す数値の図中、右側には各垂直転送クロックＶφを識別するための文字が記されている。
【０１２９】
具体的には、２４列目、２１列目、１２列目、および９列目の画素ラインを構成する各画素に対応する２つの転送電極１２３のうちの１つには、垂直転送クロックＶφ＝Ｖ１Ａが印加される。また、２３列目および２列目の画素ラインを構成する各画素に対応する２つの転送電極１２３のうちの１つには、垂直転送クロックＶφ＝Ｖ３Ａが印加される。
【０１３０】
２２列目および１列目の画素ラインを構成する各画素に対応する２つの転送電極１２３のうちの１つには、垂直転送クロックＶφ＝Ｖ５Ｃが印加される。２０列目、１７列目、８列目、および５列目の画素ラインを構成する各画素に対応する２つの転送電極１２３のうちの１つには、垂直転送クロックＶφ＝Ｖ３Ｂが印加される。
【０１３１】
また、１９列目、１６列目、７列目、および４列目の画素ラインを構成する各画素に対応する２つの転送電極１２３のうちの１つには、垂直転送クロックＶφ＝Ｖ５Ａが印加される。１８列目、１５列目、６列目、および３列目の画素ラインを構成する各画素に対応する２つの転送電極１２３のうちの１つには、垂直転送クロックＶφ＝Ｖ１Ｂが印加される。
【０１３２】
１４列目および１１列目の画素ラインを構成する各画素に対応する２つの転送電極１２３のうちの１つには、垂直転送クロックＶφ＝Ｖ３Ｃが印加され、１３列目および１０列目の画素ラインを構成する各画素に対応する２つの転送電極１２３のうちの１つには、垂直転送クロックＶφ＝Ｖ５Ｂが印加される。
【０１３３】
なお、以下、垂直転送クロックＶφ＝Ｖ１Ａ，Ｖ１Ｂ，Ｖ３Ａ，Ｖ３Ｂ，Ｖ３Ｃ，Ｖ５Ａ，Ｖ５Ｂ，Ｖ５Ｃが印加される転送電極１２３を、それぞれ転送電極Ｖ１Ａ，Ｖ１Ｂ，Ｖ３Ａ，Ｖ３Ｂ，Ｖ３Ｃ，Ｖ５Ａ，Ｖ５Ｂ，Ｖ５Ｃとも称することとする。特に、転送電極Ｖ１Ａ，Ｖ１Ｂ，Ｖ３Ａ，Ｖ３Ｂ，Ｖ３Ｃ，Ｖ５Ａ，Ｖ５Ｂ，Ｖ５Ｃは、各画素に対応し、垂直方向に並ぶ２つの転送電極１２３のうちの、図中、上側に位置する転送電極１２３である。
【０１３４】
また、転送電極Ｖ１ＡおよびＶ１Ｂの図中、下側に隣接する転送電極１２３には、垂直転送クロックＶφ＝Ｖ２が印加され、転送電極Ｖ３Ａ、Ｖ３Ｂ、およびＶ３Ｃの図中、下側に隣接する転送電極１２３には、垂直転送クロックＶφ＝Ｖ４が印加される。
【０１３５】
また、２２列目の画素ラインの転送電極Ｖ５Ｃ、１６列目の画素ラインの転送電極Ｖ５Ａ、１０列目の画素ラインのＶ５Ｂ、および４列目の画素ラインの転送電極Ｖ５Ａの図中、下側に隣接する転送電極１２３には、垂直転送クロックＶφ＝Ｖ６Ｓ１が印加される。さらに、１９列目の画素ラインの転送電極Ｖ５Ａ、１３列目の画素ラインの転送電極Ｖ５Ｂ、７列目の画素ラインの転送電極Ｖ５Ａ、および１列目の画素ラインの転送電極Ｖ５Ｃの図中、下側に隣接する転送電極１２３には、垂直転送クロックＶφ＝Ｖ６Ｓ２が印加される。
【０１３６】
以下、垂直転送クロックＶφ＝Ｖ２，Ｖ４，Ｖ６Ｓ１，Ｖ６Ｓ２が印加される転送電極１２３を、それぞれ転送電極Ｖ２，Ｖ４，Ｖ６Ｓ１，Ｖ６Ｓ２とも称することとする。
【０１３７】
このように各転送電極１２３に対して、異なる垂直転送クロックＶ１Ａ乃至Ｖ６Ｓ２が印加される場合、動画像の各フレームの撮像時において、１列目、１１列目、１４列目、および２２列目の画素ラインの画素のみから信号電荷の読み出しが行なわれ、他の画素からは信号電荷の読み出しは行なわれない。
【０１３８】
このような信号電荷の読み出しを行なう場合に、例えば図１３および図１４に示すように固体撮像素子３２を駆動させることが考えられる。
【０１３９】
なお、図１３は、各転送電極１２３に印加される垂直転送クロックＶ１Ａ乃至Ｖ６Ｓ２の変化を示すタイミングチャートを示しており、図中、縦方向および横方向は、それぞれ垂直転送クロックの電圧の大きさおよび時間を示している。
【０１４０】
図１３では、垂直転送クロックＶ１Ａ乃至Ｖ６Ｓ２のそれぞれを示す文字「Ｖ１Ａ」乃至「Ｖ６Ｓ２」のそれぞれの図中、右側に示される折れ線が、各垂直転送クロックの電圧の変化を表している。特に、各折れ線において、垂直転送クロックの電圧を表す線が、垂直転送クロックを示す文字に対して図中、下側，中間，上側に位置する状態は、それぞれ垂直転送クロックがローの状態，ハイの状態，読み出し状態を示している。
【０１４１】
また、図１４は、各転送電極１２３に図１３に示した垂直転送クロックを印加した場合における、電荷転送チャネル領域１２２のポテンシャルの変化を示している。なお、図１４中、縦方向は時間を示しており、横方向は垂直転送部７２の各位置を示している。
【０１４２】
図１４において、図中、横方向に並ぶ各文字「Ｖ１Ａ」乃至「Ｖ６Ｓ２」は、垂直転送部７２において、垂直転送クロックＶ１Ａ乃至Ｖ６Ｓ２が印加される転送電極１２３の位置を示している。また、図１４に示される折れ線は、各時刻における垂直転送部７２の各位置のポテンシャルを示しており、特に各折れ線において、ポテンシャルを表す線が図中、下側，中間，上側に位置する状態は、それぞれポテンシャルが深い状態，中間の状態，浅い状態を示している。
【０１４３】
さらに、図１４において、各転送電極１２３の位置を示す文字の図中、上側の四角形は１つの画素、つまり１つの受光部７１を表している。また、図中、斜線が施された部分は、電荷転送チャネル領域１２２における信号電荷が蓄積されている部分を表している。
【０１４４】
図１３および図１４に示す駆動では、垂直転送クロックＶ１Ａ，Ｖ１Ｂは継続してローの状態とされ、これにより電荷転送チャネル領域１２２（垂直転送部７２）における転送電極Ｖ１Ａ，Ｖ１Ｂと対向する部分のポテンシャルも継続して浅い状態となっている。
【０１４５】
また、垂直転送クロックＶ５Ｃは、時刻ｔ１，ｔ２ではハイとされ、時刻ｔ３から時刻ｔ６までの期間では読み出し電圧とされ、時刻ｔ７以降はハイとなる。したがって、電荷転送チャネル領域１２２の転送電極Ｖ５Ｃに対向する部分の領域のポテンシャルは、時刻ｔ２と時刻ｔ３の間で中間の状態から深い状態となり、受光部７１からこの領域への信号電荷の読み出しが行なわれる。
【０１４６】
このとき、転送電極Ｖ５Ｃに隣接する転送電極Ｖ４等がハイの状態とされて、電荷転送チャネル領域１２２の転送電極Ｖ４等に対向する部分の領域のポテンシャルが中間の状態となり、この領域にも転送電極Ｖ５Ｃに対向する領域に読み出された信号電荷が蓄積できるようになされる。
【０１４７】
これにより、時刻ｔ７以降において、電荷転送チャネル領域１２２の転送電極Ｖ２，Ｖ３Ａ，Ｖ４，Ｖ５Ｃに対向する部分に形成されたパケットには、受光部７１から読み出された信号電荷が蓄積され、このパケットの領域のポテンシャルは中間の状態となる。このようにしてパケットに読み出された信号電荷は、その後、電荷転送チャネル領域１２２内を水平転送部６３まで垂直方向に転送される。
【０１４８】
なお、垂直転送クロックＶ３Ａ，Ｖ４は、継続してハイの状態とされる。また、垂直転送クロックＶ２は時刻ｔ１から時刻ｔ３までは継続してハイの状態とされ、時刻ｔ４でローとされ、その後、時刻ｔ６でハイの状態に戻され、電荷転送チャネル領域１２２の転送電極Ｖ２に対向する部分がパケットを構成する領域とされる。そして、このようにして形成されたパケットに信号電荷が蓄積され、時刻ｔ６以降では、電荷転送チャネル領域１２２の転送電極Ｖ２に対向する領域のポテンシャルは、中間の状態となる。
【０１４９】
また、垂直転送クロックＶ６Ｓ１，Ｖ６Ｓ２は、時刻ｔ１でローとされ、時刻ｔ２から時刻ｔ４まではハイとされ、その後、時刻ｔ５から時刻ｔ７までは継続してローとされる。時刻ｔ５から時刻ｔ７において、電荷転送チャネル領域１２２における転送電極Ｖ６Ｓ１，Ｖ６Ｓ２に対向する領域は、ポテンシャルが浅い状態となり、電荷転送チャネル領域１２２の転送電極Ｖ２乃至Ｖ５Ｃと対向する部分に形成されるパケットの境界となっている。
【０１５０】
さらに、垂直転送クロックＶ３ＢおよびＶ５Ａは継続してハイとされるので、時刻ｔ６および時刻ｔ７において、電荷転送チャネル領域１２２の転送電極Ｖ２，Ｖ３Ｂ，Ｖ４，Ｖ５Ａが連続して並ぶ部分に対向する領域のポテンシャルは中間の状態となる。これにより、電荷転送チャネル領域１２２の転送電極Ｖ２乃至Ｖ５Ａが並ぶ部分に対向する領域にはパケットが形成される。但し、この領域では信号電荷の読み出しは行なわれないので、このパケットは空パケットとなる。
【０１５１】
垂直転送クロックＶ３Ｃは、時刻ｔ１，ｔ２ではハイとされ、時刻ｔ３から時刻ｔ６までの期間では読み出し電圧とされ、時刻ｔ７以降はハイとされる。したがって、電荷転送チャネル領域１２２の転送電極Ｖ３Ｃに対向する部分の領域のポテンシャルは、時刻ｔ２と時刻ｔ３の間で中間の状態から深い状態となり、受光部７１からこの領域への信号電荷の読み出しが行なわれる。
【０１５２】
このとき、転送電極Ｖ３Ｃに隣接する転送電極Ｖ４等がハイの状態とされて、電荷転送チャネル領域１２２の転送電極Ｖ４等に対向する部分の領域のポテンシャルが中間の状態となり、この領域に転送電極Ｖ３Ｃに対向する領域に読み出された信号電荷が蓄積できるようになされる。
【０１５３】
これにより、時刻ｔ７以降において、電荷転送チャネル領域１２２の転送電極Ｖ２，Ｖ３Ｃ，Ｖ４，Ｖ５Ｂに対向する部分に形成されたパケットには、受光部７１から読み出された信号電荷が蓄積され、このパケットの領域のポテンシャルは中間の状態となる。このようにしてパケットに読み出された信号電荷は、その後、電荷転送チャネル領域１２２内を水平転送部６３まで垂直方向に転送される。
【０１５４】
以上のように、図１３および図１４に示した固体撮像素子３２の駆動では、電荷転送チャネル領域１２２に、信号電荷が蓄積されるパケットと、空パケットとが形成される。この場合においても、電荷転送チャネル領域１２２には空パケットが形成されるので、空パケットにスミア信号（スミアノイズ）が蓄積されると、固体撮像素子３２から出力される電圧信号にスミア成分が混入してしまう。
【０１５５】
そこで、撮像ユニット２１は、受光部７１からの信号電荷の読み出し時に、垂直転送部７２に形成されるオフゲートの数を増やし、空パケットの一部の領域のポテンシャルを浅くすることで、スミア成分の混入を抑制させる。
【０１５６】
具体的には、タイミング発生回路８１は、図１５に示す垂直転送クロックＶ１Ａ乃至Ｖ６Ｓ２を各転送電極１２３に供給し、電荷転送チャネル領域１２２の各領域のポテンシャルが図１６に示すように変化するように、固体撮像素子３２の駆動を制御する。
【０１５７】
図１５は、各転送電極１２３に印加される垂直転送クロックＶ１Ａ乃至Ｖ６Ｓ２の変化を示すタイミングチャートを示しており、図中、縦方向および横方向は、それぞれ垂直転送クロックの電圧の大きさおよび時間を示している。また、図１６は、各転送電極１２３に図１５に示した垂直転送クロックを印加した場合における、垂直転送部７２のポテンシャルの変化を示しており、図中、縦方向および横方向は時間および垂直転送部７２の各位置を示している。
【０１５８】
なお、図１５および図１６は、図１３および図１４における場合と基本的には同じであるので、その説明は適宜省略し、異なる部分のみを説明する。
【０１５９】
図１５および図１６に示す固体撮像素子３２の駆動は、図１３および図１４に示す駆動と時刻ｔ１乃至時刻ｔ７までは同じであるが、時刻ｔ８以降において異なる。
【０１６０】
すなわち、図１５では、垂直転送クロックＶ３ＢおよびＶ５Ａが、時刻ｔ７の後、ハイからローの状態とされ、その他の垂直転送クロックは時刻ｔ８においても時刻ｔ７における状態と同じ状態とされる。
【０１６１】
したがって、電荷転送チャネル領域１２２の転送電極Ｖ３Ｂ，Ｖ５Ａに対向する部分では電荷転送チャネル領域１２２が縮小され、図１６に示すように、それらの部分の領域のポテンシャルが浅くなる。
【０１６２】
その結果、画素開口部（受光部７１近傍の領域）から基板１２１に入射した光により生じた電荷が、スミア信号として電荷転送チャネル領域１２２の空パケットに蓄積されることを抑制することができる。すなわち、画素信号に混入する不要電荷の発生を低減させ、より高品質な画像を得ることができるようになる。
【０１６３】
なお、図１５および図１６では、時刻ｔ８において、電荷転送チャネル領域１２２の空パケットの部分に対向する転送電極のうちの転送電極Ｖ２，Ｖ４にはローバイアスがかけられていない。これは、電荷転送チャネル領域１２２における、実際に信号電荷が蓄積されるパケットの部分にも転送電極Ｖ２，Ｖ４が設けられてり、これらの転送電極にローバイアスをかけると、必要なパケットまで縮小されてしまうからである。
【０１６４】
また、この例では、転送電極Ｖ３Ａ，Ｖ３Ｂ，Ｖ３Ｃ，Ｖ５Ａ，Ｖ５Ｂなど、奇数番号の垂直転送クロックＶφが印加される転送電極１２３が、パケットへの電荷の読み出しに用いられ、これらの転送電極１２３が受光部７１の真横に隣接して配置されている。そのため、空パケットの部分に対向する転送電極１２３のうち、奇数番号の垂直転送クロックＶφが印加される転送電極Ｖ３Ｂ，Ｖ５Ａにのみローバイアスがかけられるようにしても、充分に高いスミア成分低減効果を得ることができる。
【０１６５】
さらに、図１６の例では、時刻ｔ８においてのみ転送電極Ｖ３Ｂ，Ｖ５Ａにローバイアスがかけられているが、時刻ｔ１から時刻ｔ８まで継続して転送電極Ｖ３Ｂ，Ｖ５Ａにローバイアスがかけられるようにしてもよい。このようにすることで、さらにスミア成分の低減効果を向上させることができる。この場合、特に読み出し駆動上、問題が生じることはない。
【０１６６】
さらに、撮像装置１１は、図１５および図１６に示した駆動により各パケットに信号電荷を読み出すと、図１７に示す垂直転送クロックＶ１Ａ乃至Ｖ６Ｓ２を各転送電極１２３に供給し、受光部７１から読み出した信号電荷を水平転送部６３に転送させる。これにより、電荷転送チャネル領域１２２の各領域のポテンシャルが図１８に示すように変化し、垂直転送部７２の信号電荷が水平転送部６３まで転送される。
【０１６７】
なお、図１７は、各転送電極１２３に印加される垂直転送クロックＶ１Ａ乃至Ｖ６Ｓ２の変化を示すタイミングチャートを示しており、図中、縦方向および横方向は、それぞれ垂直転送クロックの電圧の大きさおよび時間を示している。
【０１６８】
図１７では、垂直転送クロックＶ１Ａ乃至Ｖ６Ｓ２のそれぞれを示す文字「Ｖ１Ａ」乃至「Ｖ６Ｓ２」のそれぞれの図中、右側に示される折れ線が、各垂直転送クロックの電圧の変化を表している。特に、各折れ線において、垂直転送クロックの電圧を表す線が図中、下側，上側に位置する状態は、それぞれ垂直転送クロックがローの状態，ハイの状態を示している。
【０１６９】
また、図１８は、各転送電極１２３に図１７に示した垂直転送クロックを印加した場合における、電荷転送チャネル領域１２２のポテンシャルの変化を示している。なお、図１８中、縦方向は時間を示しており、横方向は垂直転送部７２の各位置を示している。特に、図１８中、右側が固体撮像素子３２において水平転送部６３が設けられている側である。
【０１７０】
図１８において、図中、横方向に並ぶ各文字「Ｖ１Ａ」乃至「Ｖ６Ｓ２」は、垂直転送部７２において、垂直転送クロックＶ１Ａ乃至Ｖ６Ｓ２が印加される転送電極１２３の位置を示している。また、図１８に示される折れ線は、各時刻における垂直転送部７２の各位置のポテンシャルを示しており、特に各折れ線において、ポテンシャルを表す線が図中、下側，上側に位置する状態は、それぞれポテンシャルが中間の状態，浅い状態を示している。
【０１７１】
さらに、図１８において、各転送電極１２３の位置を示す文字の図中、上側の四角形は１つの画素、つまり１つの受光部７１を表している。また、図中、斜線が施された部分は、電荷転送チャネル領域１２２における信号電荷が蓄積されている部分を表している。
【０１７２】
図１７に示す駆動では、垂直転送クロックＶ１Ａ乃至Ｖ６Ｓ２は、交互にローの状態およびハイの状態とされる。なお、図１７では、垂直転送クロックがローの状態とされる期間や、その期間の長さは、各垂直転送クロックによって異なる。
【０１７３】
例えば、垂直転送クロックＶ３Ｂは、時刻ｔ１から時刻ｔ８まではローの状態とされ、その後、時刻ｔ９から時刻ｔ１５まではハイの状態とされ、時刻ｔ１６から時刻ｔ２０までは再びローの状態とされる。さらに、垂直転送クロックＶ３Ｂは、時刻ｔ２１から時刻ｔ２７まではハイの状態とされ、時刻ｔ２８から時刻ｔ３２まではローの状態とされ、時刻ｔ３３から時刻ｔ３９まではハイの状態とされた後、時刻ｔ４０以降は継続してローの状態とされる。
【０１７４】
図１７に示す垂直転送クロックにより、図１８に示すように信号電荷、すなわち信号電荷が蓄積されたパケットの領域が、図中、右方向へと移動していくことがわかる。
【０１７５】
例えば、時刻ｔ１では、電荷転送チャネル領域１２２の転送電極Ｖ２，Ｖ３Ａ，Ｖ４，Ｖ５Ｃに対向する部分にパケットが形成され、このパケットには受光部７１から読み出された信号電荷が蓄積されている。この信号電荷は、時間とともに図中、右方向、つまり水平転送部６３の方向に転送されていき、時刻ｔ４９では、電荷転送チャネル領域１２２の転送電極Ｖ２，Ｖ３Ｃ，Ｖ４，Ｖ５Ｂに対向する部分まで転送されている。
【０１７６】
また、図１８では、実際に信号電荷が蓄積されているパケットの移動とともに、信号電荷が蓄積されていない空パケットの領域も図中、右方向（垂直方向）に移動している。このとき、電荷転送チャネル領域１２２に形成された空パケットの領域のうち、信号電荷の垂直方向への転送に寄与していない転送電極１２３に対向する領域のポテンシャルが浅くなるようにされる。
【０１７７】
例えば、時刻ｔ１では、転送電極Ｖ３Ｂ，Ｖ５Ａに対向する電荷転送チャネル領域１２２の領域には、信号電荷が蓄積されたパケットが形成されていない。そこで、タイミング発生回路８１は、時刻ｔ１において、垂直転送クロックＶ３Ｂ，Ｖ５Ａをローの状態とすることで、転送電極Ｖ３Ｂ，Ｖ５Ａに対向する電荷転送チャネル領域１２２の領域のポテンシャルを浅い状態とする。
【０１７８】
これにより、空パケットを構成する電荷転送チャネル領域１２２の部分が縮小され、信号電荷の転送中に画素開口部から基板１２１に入射した光により生じた電荷が、スミア信号として電荷転送チャネル領域１２２の空パケットに混入してしまうことを抑制することができる。すなわち、信号電荷の転送期間中においても、専用の電極の追加等を行なうことなく、電圧信号に混入する不要電荷の発生を低減させ、より高品質な画像を得ることができるようになる。
【０１７９】
固体撮像素子３２が図１５乃至図１８を参照して説明した駆動方法により、電荷の読み出しや転送を行なう場合においても、撮像ユニット２１により図１１に示した撮像処理と同様の処理が行われる。
【０１８０】
この場合、ステップＳ１２において、タイミング発生回路８１は、図１５に示した垂直転送クロックＶ１Ａ乃至Ｖ６Ｓ２を各転送電極１２３に供給する。また、ステップＳ１３では、タイミング発生回路８１は図１７に示した垂直転送クロックＶ１Ａ乃至Ｖ６Ｓ２を各転送電極１２３に供給する。
【０１８１】
これにより、信号電荷の読み出し期間（電荷の転送停止期間）と、信号電荷の転送期間とにおいて、空パケットへのスミア成分の混入を抑制することができ、より高品質な動画像を簡単に得ることができる。
【０１８２】
なお、以上においては、信号電荷の読み出し方式として、６フィールド読み出し方式を例として説明したが、本技術は空パケットが形成される、または空パケットが形成可能な多フィールド読み出し方式（分割転送方式も含む）であれば、どのような方式にも適用可能である。また、固体撮像素子３２はCCDセンサに限らず、CMOS(Complementary Metal Oxide Semiconductor)センサなど、どのようなセンサであってもよい。
【０１８３】
また、本技術の実施の形態は、上述した実施の形態に限定されるものではなく、本技術の要旨を逸脱しない範囲において種々の変更が可能である。
【０１８４】
さらに、本技術は、以下の構成とすることも可能である。
【０１８５】
［１］
マトリクス状に配列され、被写体から入射した光を光電変換して得られた信号電荷を蓄積する受光部と、
垂直方向に並ぶ複数の前記受光部から前記信号電荷を読み出して前記垂直方向に転送する垂直転送部と、
前記垂直転送部から転送されてきた前記信号電荷を水平方向に転送する水平転送部と
を備え、
前記受光部から前記垂直転送部への前記信号電荷の読み出し時、または前記垂直転送部に読み出された前記信号電荷の転送時において、前記垂直転送部には、前記受光部から読み出された前記信号電荷が蓄積されるパケットと、前記受光部から読み出された前記信号電荷が蓄積されない空パケットとが形成され、
前記垂直転送部において、前記空パケットが形成される領域の少なくとも一部は、前記パケットが形成される領域よりもポテンシャルが浅くなるように制御される
固体撮像素子。
［２］
前記垂直転送部は、前記垂直方向に並ぶ複数の前記受光部のうちの予め定められた一部の前記受光部から前記信号電荷を読み出す
［１］に記載の固体撮像素子。
［３］
前記信号電荷の読み出しおよび転送は、撮像される動画像のフレームごとに行なわれる
［１］または［２］に記載の固体撮像素子。
【符号の説明】
【０１８６】
１１  撮像装置，  ２１  撮像ユニット，  ３２  固体撮像素子，  ７１  受光部，  ７２  垂直転送部，  ８１  タイミング発生回路，  １２２  電荷転送チャネル領域，  １２３  転送電極
【図１】
2013102412.tif 000003
【図２】
2013102412.tif 000004
【図３】
2013102412.tif 000005
【図４】
2013102412.tif 000006
【図５】
2013102412.tif 000007
【図６】
2013102412.tif 000008
【図７】
2013102412.tif 000009
【図８】
2013102412.tif 000010
【図９】
2013102412.tif 000011
【図１０】
2013102412.tif 000012
【図１１】
2013102412.tif 000013
【図１２】
2013102412.tif 000014
【図１３】
2013102412.tif 000015
【図１４】
2013102412.tif 000016
【図１５】
2013102412.tif 000017
【図１６】
2013102412.tif 000018
【図１７】
2013102412.tif 000019
【図１８】
2013102412.tif 000020